(57)【要約】【課題】初期モードによる処理の実行を速やかに指示可能である画像形成装置を提供する。【解決手段】画像形成装置の表示パネルには、表示画面５０１が表示される。表示画面５０１上には、ユーザのドラッグ操作に応じて移動可能な原稿アイコン５１１と、所定の機能に対応する機能アイコン５２１〜５２５とが表示される。ユーザにより原稿アイコン５１１についてのドラッグ操作が行われると、原稿アイコン５１１の位置、機能アイコン５２１〜５２５の位置、及びドラッグ操作の方向性に基づいて、操作が原稿アイコン５１１と機能アイコン５２１〜５２５とを対応付けるものであるか否かが判定される。原稿アイコン５１１が機能アイコン５２１〜５２５近接するよりも前に、原稿アイコン５１１に対応付けられた機能アイコン５２１〜５２５に対応する機能により、原稿アイコン５１１に対応する情報についての処理が、所定の実行モードで実行される。【選択図】図６
2013196267.tif 000002
【特許請求の範囲】
【請求項１】
表示画面を表示する表示部と、
前記表示画面上に、原稿アイコンを、ユーザのドラッグ操作に応じて移動可能に表示させる第１の表示手段と、
前記表示画面上に、所定の機能に対応する機能アイコンを表示させる第２の表示手段と、
ユーザにより前記表示画面上で方向性を伴って行われる、前記原稿アイコンについての操作を受け付ける受付手段と、
前記受付手段により前記操作が行われたとき、前記原稿アイコンの前記表示画面における位置、前記機能アイコンの前記表示画面における位置、及び前記受付手段により受け付けられた操作の方向性に基づいて、前記操作が前記原稿アイコンと前記機能アイコンとを対応付けるものであるか否かを判定する判定手段と、
前記操作が行われることにより前記表示画面において前記原稿アイコンが前記機能アイコンに近接するよりも前に、前記判定手段の判定結果に基づいて、前記機能アイコンに対応する機能により、前記原稿アイコンに対応する情報についての処理を所定の実行モードで実行させる実行手段とを備える、画像形成装置。
【請求項２】
前記受付手段は、
前記原稿アイコンについてユーザによるドラッグ操作が行われたことを検出する第１の検出手段と、
前記第１の検出手段により前記ドラッグ操作が検出された後、前記ドラッグ操作により所定距離だけ移動した後の前記原稿アイコンの位置又は前記ドラッグ操作により所定時間だけ移動した後の前記原稿アイコンの位置を検出する第２の検出手段とを有し、
前記判定手段は、
前記第１の検出手段により前記ドラッグ操作が検出される前の前記原稿アイコンの位置と、前記第２の検出手段により検出された位置とに基づいて、前記原稿アイコンの移動方向を算出する第１の算出手段を有し、
前記判定手段は、前記第１の算出手段により算出された移動方向と前記機能アイコンの位置とに基づいて、前記判定を行う、請求項１に記載の画像形成装置。
【請求項３】
前記判定手段の判定結果に基づいて、前記機能アイコンの表示態様を変更する変更手段をさらに備える、請求項２に記載の画像形成装置。
【請求項４】
前記実行手段は、前記変更手段による前記変更が行われた後、ユーザにより前記原稿アイコンのドロップ操作が行われたとき、前記処理を実行させる、請求項３に記載の画像形成装置。
【請求項５】
前記実行手段は、前記変更手段による前記変更が行われた後、ユーザにより前記原稿アイコンについてフリック操作が行われたとき、前記処理を実行させる、請求項３又は４に記載の画像形成装置。
【請求項６】
前記変更手段は、前記機能アイコンの表示態様を変更するとき、前記原稿アイコンを前記機能アイコンまで移動させるアニメーションを表示させる、請求項３から５のいずれかに記載の画像形成装置。
【請求項７】
前記判定手段の判定結果に基づいて、前記原稿アイコンと前記機能アイコンとを対応付ける線を前記表示画面に描画する描画手段をさらに備える、請求項２から６のいずれかに記載の画像形成装置。
【請求項８】
前記実行手段は、前記処理を実行させるとき、前記原稿アイコンを前記機能アイコンまで移動させるアニメーションを表示させる、請求項２から７のいずれかに記載の画像形成装置。
【請求項９】
前記受付手段は、
前記第１の検出手段により前記ドラッグ操作が検出された後、前記ドラッグ操作の移動方向が変化したことを検出する第３の検出手段と、
前記第３の検出手段による検出が行われた後、前記ドラッグ操作により所定距離だけ移動した後の前記原稿アイコンの位置又は前記ドラッグ操作により所定時間だけ移動した後の前記原稿アイコンの位置を検出する第４の検出手段とを有し、
前記判定手段は、
前記第３の検出手段による検出が行われたときの前記原稿アイコンの位置と、前記第４の検出手段により検出された位置とに基づいて、前記原稿アイコンの移動方向を算出する第２の算出手段を有し、
前記判定手段は、前記第２の算出手段により算出された移動方向と前記機能アイコンの位置とに基づいて、前記判定を行う、請求項２から８のいずれかに記載の画像形成装置。
【請求項１０】
前記受付手段は、
前記原稿アイコンについてユーザによるフリック操作が行われたことを検出するフリック検出手段を有し、
前記判定手段は、
前記フリック検出手段により前記フリック操作が検出されたとき、そのフリック操作のフリック方向を検出するフリック方向検出手段とを有し、
前記判定手段は、前記フリック方向検出手段により検出されたフリック方向と、前記機能アイコンの位置とに基づいて、前記判定を行う、請求項１又は２に記載の画像形成装置。
【請求項１１】
前記判定手段の判定結果に基づいて、前記機能アイコンの表示態様を変更する変更手段をさらに備える、請求項１０に記載の画像形成装置。
【請求項１２】
前記変更手段は、前記機能アイコンの表示態様を変更するとき、前記原稿アイコンを前記機能アイコンまで移動させるアニメーションを表示させる、請求項１１に記載の画像形成装置。
【請求項１３】
前記所定の実行モードでの前記機能の実行時に用いられる設定値を設定する設定手段をさらに備える、請求項１から１２のいずれかに記載の画像形成装置。
【請求項１４】
前記原稿アイコンが前記機能アイコンにドロップされたとき、前記機能アイコンに対応する詳細設定画面を前記表示画面に表示する第３の表示手段をさらに備える、請求項１から１３のいずれかに記載の画像形成装置。
【請求項１５】
前記機能アイコンは、印刷機能に対応するものであり、
前記詳細設定画面は、前記印刷機能に関する設定画面であり、
前記実行手段は、前記判定手段の判定結果に基づいて、初期モードの設定値に基づく印刷を実行させる、請求項１４に記載の画像形成装置。
【請求項１６】
前記機能アイコンは、ファクシミリ送信機能に対応するものであり、
前記詳細設定画面は、ファクシミリ送信の送信先選択画面であり、
前記実行手段は、前記判定手段の判定結果に基づいて、前記送信先選択画面を前記表示画面に表示させる、請求項１４に記載の画像形成装置。
【請求項１７】
前記機能アイコンは、情報送信機能に対応するものであり、
前記詳細設定画面は、情報送信の送信先選択画面であり、
前記実行手段は、前記判定手段の判定結果に基づいて、所定の送信先に情報の送信を行う、請求項１４に記載の画像形成装置。
【請求項１８】
前記実行手段は、前記判定手段の判定結果に基づいて、Ｓｃａｎ−ｔｏ−ｍｅ機能により情報の送信を行う、請求項１７に記載の画像形成装置。
【請求項１９】
前記機能アイコンは、情報記憶機能に対応するものであり、
前記詳細設定画面は、記憶領域選択画面であり、
前記実行手段は、前記判定手段の判定結果に基づいて、所定の記憶領域に情報を記憶させる、請求項１４に記載の画像形成装置。
【請求項２０】
前記機能アイコンは、設定値に関するプログラム登録が行われているものであり、
前記実行手段は、前記判定手段の判定結果に基づいて、前記プログラム登録された設定値で前記機能アイコンに対応する機能を実行させ、
前記第３の表示手段は、前記プログラム登録された設定値が反映された状態で、前記詳細設定画面を表示する、請求項１４に記載の画像形成装置。
【請求項２１】
表示画面を表示する表示部を備える画像形成装置の制御方法であって、
前記表示画面上に、原稿アイコンを、ユーザのドラッグ操作に応じて移動可能に表示させる第１の表示ステップと、
前記表示画面上に、所定の機能に対応する機能アイコンを表示させる第２の表示ステップと、
ユーザにより前記表示画面上で方向性を伴って行われる、前記原稿アイコンについての操作を受け付ける受付ステップと、
前記受付ステップにより前記操作が行われたとき、前記原稿アイコンの前記表示画面における位置、前記機能アイコンの前記表示画面における位置、及び前記受付ステップにより受け付けられた操作の方向性に基づいて、前記操作が前記原稿アイコンと前記機能アイコンとを対応付けるものであるか否かを判定する判定ステップと、
前記操作が行われることにより前記表示画面において前記原稿アイコンが前記機能アイコンに近接するよりも前に、前記判定ステップの判定結果に基づいて、前記機能アイコンに対応する機能により、前記原稿アイコンに対応する情報についての処理を所定の実行モードで実行させる実行ステップとを備える、画像形成装置の制御方法。
【請求項２２】
表示画面を表示する表示部を備える画像形成装置の制御プログラムであって、
前記表示画面上に、原稿アイコンを、ユーザのドラッグ操作に応じて移動可能に表示させる第１の表示ステップと、
前記表示画面上に、所定の機能に対応する機能アイコンを表示させる第２の表示ステップと、
ユーザにより前記表示画面上で方向性を伴って行われる、前記原稿アイコンについての操作を受け付ける受付ステップと、
前記受付ステップにより前記操作が行われたとき、前記原稿アイコンの前記表示画面における位置、前記機能アイコンの前記表示画面における位置、及び前記受付ステップにより受け付けられた操作の方向性に基づいて、前記操作が前記原稿アイコンと前記機能アイコンとを対応付けるものであるか否かを判定する判定ステップと、
前記操作が行われることにより前記表示画面において前記原稿アイコンが前記機能アイコンに近接するよりも前に、前記判定ステップの判定結果に基づいて、前記機能アイコンに対応する機能により、前記原稿アイコンに対応する情報についての処理を所定の実行モードで実行させる実行ステップとをコンピュータに実行させる、画像形成装置の制御プログラム。
【発明の詳細な説明】
【技術分野】
【０００１】
この発明は、画像形成装置、画像形成装置の制御方法、及び画像形成装置の制御プログラムに関し、特に、ユーザによる表示アイコンの操作に応じて機能を実行する画像形成装置、画像形成装置の制御方法、及び画像形成装置の制御プログラムに関する。
【背景技術】
【０００２】
画像形成装置（スキャナ機能、ファクシミリ機能、複写機能、プリンタとしての機能、データ通信機能、及びサーバ機能を備えたＭＦＰ（Ｍｕｌｔｉ  Ｆｕｎｃｔｉｏｎ  Ｐｅｒｉｐｈｅｒａｌ）、ファクシミリ装置、複写機、プリンタなど）としては、ユーザによる表示アイコンの操作に応じて機能を実行させるものがある。
【０００３】
例えば、画像形成装置において、原稿を印刷する場合を想定する。従来、このような場合において、ＧＵＩ（グラフィカルユーザインターフェース）を利用した、比較的簡単な操作により初期モードで印刷を行えるようにする印刷方法が知られている。初期モードとは、よく使用する機能として設定された印刷モードである。また、複数の機能を組み合わせて、所望の態様で印刷を行えるようにする印刷方法が知られている。
【０００４】
このような印刷方法を実現可能にする画像形成装置において、初期モードでの印刷機能など、標準メニューとしてよく使用する機能を実行させるためのアイコンなどは、トップ画面に表示される。他方、使用頻度の低い機能は、例えばトップ画面とは別の画面などに表示させる（応用設定）。しかしながら、このような表示方式では、初期モードで印刷ジョブ実行させる場合であっても、ユーザは、トップ画面を表示させたうえで操作を行う必要があるため、印刷ジョブを実行させるまでに時間がかかるという問題がある。
【０００５】
このような問題に対して、従来、特許文献１に示されるような画像形成装置が提案されている。すなわち、特許文献１に記載の画像形成装置では、予め所望の印刷設定が関連付けられた印刷装置アイコンを登録できる。原稿が印刷装置アイコンにドラッグされることで、初期モードの設定又はそのアイコンに登録された設定で、印刷が実行される。なお、特許文献１に記載の画像形成装置では、アイコンに印刷設定を複数登録できる。そのアイコン上で原稿アイコンが所定時間だけとどまるような操作が行われた場合、各印刷設定に対応するアイコンが階層的に複数表示される。
【０００６】
下記特許文献２には、原稿画像を読み込むスキャナに接続して用いられる情報処理装置において、ドラッグアンドドロップ操作（印刷指示）により容易に原稿画像を読み込むことができるようにしたものが開示されている。この情報処理装置において、ウインドウ画面中のフォルダツリー表示領域に表示された特殊フォルダが選択されると、同画面中の文書表示領域内に、スキャナ上の原稿に対応するアイコンが表示される。このアイコンに対して、プリンタアイコンへのドラッグ＆ドロップ操作（印刷指示）が行われると、情報処理装置は、まず、スキャナに原稿をスキャンさせる。そして、情報処理装置は、得られた画像データを取得して、プリントを実行する。
【先行技術文献】
【特許文献】
【０００７】
【特許文献１】特開２００７−２８６７００号公報
【特許文献２】特開平１１−３１６８２１号公報
【発明の概要】
【発明が解決しようとする課題】
【０００８】
ところで、上述の特許文献１に記載されている画像形成装置において、次のような問題が生じることがある。すなわち、特許文献１に記載の画像形成装置において、初期モードでの印刷ジョブの実行時に、ユーザは、原稿アイコンを印刷装置アイコンまでドラッグする操作を行う必要がある。そのため、この印刷ジョブを実行させられるまでに、時間がかかる。特に、印刷装置アイコンと原稿アイコンとが互いにパネル上の対角の端にあるような場合には、この問題は顕著になる。すなわち、原稿アイコンをドラッグする距離が長くなるので、すぐに印刷を行いたい印刷ジョブであっても、印刷が開始されるまでに時間がかかってしまう。
【０００９】
また、このようにドラッグ距離が長くなると、ドラッグ操作を完遂させることが困難になる場合があるという問題がある。すなわち、ドラッグ操作の途中で、ユーザが指を離してしまったり、タッチパネルのタッチ操作検出の精度によってドラッグが失敗してしたりしまう可能性が増加する。このような場合には、ドラッグ操作をやり直すことが必要になる。
【００１０】
このような問題には、特許文献２においても同様に発生する。すなわち、直感的な操作により印刷を行うには、印刷対象となる原稿に対応するアイコンを、プリンタを示すアイコンまでドラッグアンドドロップすることが必要である。
【００１１】
この発明はそのような問題点を解決するためになされたものであり、初期モードによる処理の実行を速やかに指示可能である画像形成装置、画像形成装置の制御方法、及び画像形成装置の制御プログラムを提供することを目的としている。
【課題を解決するための手段】
【００１２】
上記目的を達成するためこの発明のある局面に従うと、画像形成装置は、表示画面を表示する表示部と、表示画面上に、原稿アイコンを、ユーザのドラッグ操作に応じて移動可能に表示させる第１の表示手段と、表示画面上に、所定の機能に対応する機能アイコンを表示させる第２の表示手段と、ユーザにより表示画面上で方向性を伴って行われる、原稿アイコンについての操作を受け付ける受付手段と、受付手段により操作が行われたとき、原稿アイコンの表示画面における位置、機能アイコンの表示画面における位置、及び受付手段により受け付けられた操作の方向性に基づいて、操作が原稿アイコンと機能アイコンとを対応付けるものであるか否かを判定する判定手段と、操作が行われることにより表示画面において原稿アイコンが機能アイコンに近接するよりも前に、判定手段の判定結果に基づいて、機能アイコンに対応する機能により、原稿アイコンに対応する情報についての処理を所定の実行モードで実行させる実行手段とを備える。
【００１３】
好ましくは受付手段は、原稿アイコンについてユーザによるドラッグ操作が行われたことを検出する第１の検出手段と、第１の検出手段によりドラッグ操作が検出された後、ドラッグ操作により所定距離だけ移動した後の原稿アイコンの位置又はドラッグ操作により所定時間だけ移動した後の原稿アイコンの位置を検出する第２の検出手段とを有し、判定手段は、第１の検出手段によりドラッグ操作が検出される前の原稿アイコンの位置と、第２の検出手段により検出された位置とに基づいて、原稿アイコンの移動方向を算出する第１の算出手段を有し、判定手段は、第１の算出手段により算出された移動方向と機能アイコンの位置とに基づいて、判定を行う。
【００１４】
好ましくは画像形成装置は、判定手段の判定結果に基づいて、機能アイコンの表示態様を変更する変更手段をさらに備える。
【００１５】
好ましくは実行手段は、変更手段による変更が行われた後、ユーザにより原稿アイコンのドロップ操作が行われたとき、処理を実行させる。
【００１６】
好ましくは実行手段は、変更手段による変更が行われた後、ユーザにより原稿アイコンについてフリック操作が行われたとき、処理を実行させる。
【００１７】
好ましくは変更手段は、機能アイコンの表示態様を変更するとき、原稿アイコンを機能アイコンまで移動させるアニメーションを表示させる。
【００１８】
好ましくは画像形成装置は、判定手段の判定結果に基づいて、原稿アイコンと機能アイコンとを対応付ける線を表示画面に描画する描画手段をさらに備える。
【００１９】
好ましくは実行手段は、処理を実行させるとき、原稿アイコンを機能アイコンまで移動させるアニメーションを表示させる。
【００２０】
好ましくは受付手段は、第１の検出手段によりドラッグ操作が検出された後、ドラッグ操作の移動方向が変化したことを検出する第３の検出手段と、第３の検出手段による検出が行われた後、ドラッグ操作により所定距離だけ移動した後の原稿アイコンの位置又はドラッグ操作により所定時間だけ移動した後の原稿アイコンの位置を検出する第４の検出手段とを有し、判定手段は、第３の検出手段による検出が行われたときの原稿アイコンの位置と、第４の検出手段により検出された位置とに基づいて、原稿アイコンの移動方向を算出する第２の算出手段を有し、判定手段は、第２の算出手段により算出された移動方向と機能アイコンの位置とに基づいて、判定を行う。
【００２１】
好ましくは受付手段は、原稿アイコンについてユーザによるフリック操作が行われたことを検出するフリック検出手段を有し、判定手段は、フリック検出手段によりフリック操作が検出されたとき、そのフリック操作のフリック方向を検出するフリック方向検出手段とを有し、判定手段は、フリック方向検出手段により検出されたフリック方向と、機能アイコンの位置とに基づいて、判定を行う。
【００２２】
好ましくは画像形成装置は、判定手段の判定結果に基づいて、機能アイコンの表示態様を変更する変更手段をさらに備える。
【００２３】
好ましくは変更手段は、機能アイコンの表示態様を変更するとき、原稿アイコンを機能アイコンまで移動させるアニメーションを表示させる。
【００２４】
好ましくは画像形成装置は、所定の実行モードでの機能の実行時に用いられる設定値を設定する設定手段をさらに備える。
【００２５】
好ましくは画像形成装置は、原稿アイコンが機能アイコンにドロップされたとき、機能アイコンに対応する詳細設定画面を表示画面に表示する第３の表示手段をさらに備える。
【００２６】
好ましくは機能アイコンは、印刷機能に対応するものであり、詳細設定画面は、印刷機能に関する設定画面であり、実行手段は、判定手段の判定結果に基づいて、初期モードの設定値に基づく印刷を実行させる。
【００２７】
好ましくは機能アイコンは、ファクシミリ送信機能に対応するものであり、詳細設定画面は、ファクシミリ送信の送信先選択画面であり、実行手段は、判定手段の判定結果に基づいて、送信先選択画面を表示画面に表示させる。
【００２８】
好ましくは機能アイコンは、情報送信機能に対応するものであり、詳細設定画面は、情報送信の送信先選択画面であり、実行手段は、判定手段の判定結果に基づいて、所定の送信先に情報の送信を行う。
【００２９】
好ましくは実行手段は、判定手段の判定結果に基づいて、Ｓｃａｎ−ｔｏ−ｍｅ機能により情報の送信を行う。
【００３０】
好ましくは機能アイコンは、情報記憶機能に対応するものであり、詳細設定画面は、記憶領域選択画面であり、実行手段は、判定手段の判定結果に基づいて、所定の記憶領域に情報を記憶させる。
【００３１】
好ましくは機能アイコンは、設定値に関するプログラム登録が行われているものであり、実行手段は、判定手段の判定結果に基づいて、プログラム登録された設定値で機能アイコンに対応する機能を実行させ、第３の表示手段は、プログラム登録された設定値が反映された状態で、詳細設定画面を表示する。
【００３２】
この発明の他の局面に従うと、表示画面を表示する表示部を備える画像形成装置の制御方法は、表示画面上に、原稿アイコンを、ユーザのドラッグ操作に応じて移動可能に表示させる第１の表示ステップと、表示画面上に、所定の機能に対応する機能アイコンを表示させる第２の表示ステップと、ユーザにより表示画面上で方向性を伴って行われる、原稿アイコンについての操作を受け付ける受付ステップと、受付ステップにより操作が行われたとき、原稿アイコンの表示画面における位置、機能アイコンの表示画面における位置、及び受付ステップにより受け付けられた操作の方向性に基づいて、操作が原稿アイコンと機能アイコンとを対応付けるものであるか否かを判定する判定ステップと、操作が行われることにより表示画面において原稿アイコンが機能アイコンに近接するよりも前に、判定ステップの判定結果に基づいて、機能アイコンに対応する機能により、原稿アイコンに対応する情報についての処理を所定の実行モードで実行させる実行ステップとを備える。
【００３３】
この発明のさらに他の局面に従うと、表示画面を表示する表示部を備える画像形成装置の制御プログラムは、表示画面上に、原稿アイコンを、ユーザのドラッグ操作に応じて移動可能に表示させる第１の表示ステップと、表示画面上に、所定の機能に対応する機能アイコンを表示させる第２の表示ステップと、ユーザにより表示画面上で方向性を伴って行われる、原稿アイコンについての操作を受け付ける受付ステップと、受付ステップにより操作が行われたとき、原稿アイコンの表示画面における位置、機能アイコンの表示画面における位置、及び受付ステップにより受け付けられた操作の方向性に基づいて、操作が原稿アイコンと機能アイコンとを対応付けるものであるか否かを判定する判定ステップと、操作が行われることにより表示画面において原稿アイコンが機能アイコンに近接するよりも前に、判定ステップの判定結果に基づいて、機能アイコンに対応する機能により、原稿アイコンに対応する情報についての処理を所定の実行モードで実行させる実行ステップとをコンピュータに実行させる。
【発明の効果】
【００３４】
これらの発明に従うと、表示画面において原稿アイコンが機能アイコンに近接するよりも前に、機能アイコンに対応する機能により、原稿アイコンに対応する情報についての処理を所定の実行モードで実行させることができる。したがって、初期モードによる処理の実行を速やかに指示可能である画像形成装置、画像形成装置の制御方法、及び画像形成装置の制御プログラムを提供することができる。
【図面の簡単な説明】
【００３５】
【図１】本発明の第１の実施の形態における画像形成装置を示す斜視図である。
【図２】画像形成装置１のハードウェア構成を示すブロック図である。
【図３】表示パネルに表示される表示画面の一例を示す図である。
【図４】原稿アイコンの操作が行われたときに画像形成装置１で行われる動作の一例を説明するフローチャートである。
【図５】原稿アイコンのドラッグ操作について説明する第１の図である。
【図６】原稿アイコンのドラッグ操作について説明する第２の図である。
【図７】機能アイコンの表示態様の変更例について説明する図である。
【図８】第２の実施の形態における画像形成装置を用いた操作と表示画面との関係の一例を説明する図である。
【図９】印刷機能に関する詳細設定画面の一例を示す図である。
【図１０】第２の実施の形態において原稿アイコンの操作が行われたときに画像形成装置１で行われる動作の一例を説明する第１のフローチャートである。
【図１１】第２の実施の形態において原稿アイコンの操作が行われたときに画像形成装置１で行われる動作の一例を説明する第２のフローチャートである。
【図１２】原稿アイコンが送信アイコンにドロップ操作されるときの画像形成装置の動作の一例を説明する図である。
【図１３】情報送信機能に関する送信先選択画面の一例を示す図である。
【図１４】原稿アイコンがＢＯＸアイコンにドロップ操作されるときの画像形成装置１の動作の一例を説明する図である。
【図１５】ＢＯＸへの情報記憶機能に関する記憶領域選択画面の一例を示す図である。
【図１６】第３の実施の形態における画像形成装置を用いた操作と表示画面との関係の一例を説明する図である。
【図１７】第４の実施の形態において原稿アイコンのフリック操作が行われた場合の画像形成装置１の動作を示すフローチャートである。
【図１８】第４の実施の形態における画像形成装置を用いた操作と表示画面との関係の一例を説明する図である。
【発明を実施するための形態】
【００３６】
以下、本発明の実施の形態における画像形成装置について説明する。
【００３７】
画像形成装置は、スキャナ機能、複写機能、プリンタとしての機能、ファクシミリ機能、データ通信機能、及びサーバ機能を備えたＭＦＰ（Ｍｕｌｔｉ  Ｆｕｎｃｔｉｏｎ  Ｐｅｒｉｐｈｅｒａｌ）である。スキャナ機能は、セットされた原稿の画像を読み取ってそれをＨＤＤ（Ｈａｒｄ  Ｄｉｓｋ  Ｄｒｉｖｅ）等に蓄積する機能である。複写機能は、さらにそれを用紙等に印刷（プリント）する機能である。プリンタとしての機能は、ＰＣ等の外部端末から印刷指示を受けるとその指示に基づいて用紙に印刷を行う機能である。ファクシミリ機能は、外部のファクシミリ装置等からファクシミリデータを受信してそれをＨＤＤ等に蓄積する機能である。データ通信機能は、接続された外部機器との間でデータを送受信する機能である。サーバ機能は、複数のユーザでＨＤＤ等に記憶したデータなどを共有可能にする機能である。
【００３８】
［第１の実施の形態］
【００３９】
図１は、本発明の第１の実施の形態における画像形成装置を示す斜視図である。
【００４０】
図１に示されるように、画像形成装置１は、給紙カセット３と、排紙トレイ５と、操作部１１と、ＣＰＵ２０と、画像形成部３０と、画像読取部４０とを備える。ＣＰＵ２０は、画像形成装置１の動作を制御する。ＣＰＵ２０、画像形成部３０、及び画像読取部４０などは、画像形成装置１の筐体の内部に配置されている。
【００４１】
この画像形成装置１は、３つの給紙カセット３（給紙カセット３ａ，３ｂ，３ｃ）を有している。それぞれの給紙カセット３には、例えば、互いに異なるサイズの用紙（Ｂ５サイズ、Ａ４サイズ、及びＡ３サイズなど）が装てんされている。給紙カセット３は、画像形成装置１の下部に、画像形成装置１の筐体に抜き差し可能に配置されている。各給紙カセット３に装てんされた用紙は、印字時に、１枚ずつ給紙カセット３から給紙され、画像形成部３０に送られる。なお、給紙カセット３の数は３つに限られず、それより多くても少なくてもよい。
【００４２】
排紙トレイ５は、画像形成装置１の筐体のうち画像形成部３０が収納されている部位の上方で画像読取部４０が配置されている部位の下方に配置されている。排紙トレイ５には、画像形成部３０により画像が形成された用紙が筐体の内部から排紙される。
【００４３】
操作部１１は、画像形成装置１の上部前面（図において正面）側に配置されている。操作部１１には、ユーザにより押下操作可能な複数の操作ボタン１１ａが配置されている。また、操作部１１には、情報をユーザに表示する表示パネル（表示部の一例）１３が配置されている。
【００４４】
表示パネル１３は、タッチパネルである。表示パネル１３は、例えば、ＬＣＤ（Ｌｉｑｕｉｄ  Ｃｒｙｓｔａｌ  Ｄｉｓｐｌａｙ）である。表示パネル１３は、ユーザに案内画面を表示したり、操作ボタンを表示してユーザからのタッチ操作を受け付けたりする。表示パネル１３は、ＣＰＵ２０の制御の下、画面制御部１７により制御されて、このような表示画面（図３に一例を示す。）を表示する。操作部１１は、ユーザにより操作ボタン１１ａや表示パネル１３へなされる操作入力を受け付ける。操作部１１は、操作ボタン１１ａや表示パネル１３がユーザにより操作されると、その操作に応じた操作信号又は所定のコマンドをＣＰＵ２０に送信する。すなわち、ユーザは、操作ボタン１１ａや表示パネル１３に操作を行うことにより、画像形成装置１に種々の動作を実行させることができる。
【００４５】
画像形成部３０は、大まかに、トナー像形成部（図示せず）と、用紙搬送部（図示せず）と、定着装置（図示せず）とを有している。画像形成部３０は、例えば電子写真方式で用紙に画像を形成する。
【００４６】
用紙搬送部は、給紙ローラ、搬送ソーラ、及びそれらを駆動するモータなどで構成されている。用紙搬送部は、用紙を給紙カセット３から給紙して、画像形成装置１の筐体の内部で搬送する。また、用紙搬送部は、画像が形成された用紙を画像形成装置１の筐体から排紙トレイ５などに排出する。
【００４７】
定着装置は、加熱ローラ及び加圧ローラを有している。定着装置は、加熱ローラと加圧ローラとでトナー像が形成された用紙を挟みながら搬送し、その用紙に加熱及び加圧を行う。これにより、定着装置は、用紙に付着したトナーを溶融させて用紙に定着させ、用紙に画像を形成する。
【００４８】
画像読取部４０は、画像形成装置１の筐体の上部に配置されている。画像読取部４０は、ＡＤＦ（Ａｕｔｏ  Ｄｏｃｕｍｅｎｔ  Ｆｅｅｄｅｒ）４１を有している。画像読取部４０は、上述のスキャナ機能を実行する。画像読取部４０は、透明な原稿台に配置された原稿をコンタクトイメージセンサにより走査して、それを画像データとして読み取る。また、画像読取部４０は、原稿トレイにセットされた複数の原稿を１枚ずつＡＤＦ４１により順次取り込みながら、コンタクトイメージセンサにより原稿を読み取り、画像データとする。
【００４９】
画像読取部４０により読み取られた画像は、ＣＰＵ２０により、仕上がり画像に変換される。ＣＰＵ２０は、生成した仕上がり画像を外部装置などに送信したり、仕上がり画像に基づいて画像形成部３０により用紙に画像を形成したりできる。
【００５０】
図２は、画像形成装置１のハードウェア構成を示すブロック図である。
【００５１】
図２に示すように、画像形成装置１は、上述の各部のほか、ＲＯＭ２３、ＲＡＭ２５、及び不揮発メモリ２７を有している。
【００５２】
不揮発メモリ２７は、例えばフラッシュメモリやＨＤＤなどである。不揮発メモリ２７は、補助記憶装置として用いられる。すなわち、不揮発メモリ２７は、画像形成装置１に接続されている外部装置などから送られた印刷ジョブのデータや、画像読取部４０で読み取った画像データなどを記憶する。また、不揮発メモリ２７は、画像形成装置１の設定情報や、画像形成装置１の種々の動作を行うための制御プログラム２７ａなどを記憶する。ＣＰＵ２０は、不揮発メモリ２７から制御プログラム２７ａを読み出して、制御プログラム２７ａを実行することで、画像形成装置１の動作の制御などを行うことができる。
【００５３】
ＲＯＭ２３は、例えばフラッシュＲＯＭ（Ｆｌａｓｈ  Ｍｅｍｏｒｙ）である。ＲＯＭ２３には、画像形成装置１が動作するときに用いられるデータが記憶されている。ＲＯＭ２３には、不揮発メモリ２７と同様に、種々の制御プログラムや、画像形成装置１の機能設定データなどが記憶されていてもよい。ＣＰＵ２０は、ＲＯＭ２３からのデータの読み込みや、ＲＯＭ２３へのデータの書き込みを行う。なお、ＲＯＭ２３は、書換え不可能なものであってもよい。
【００５４】
ＲＡＭ２５は、ＣＰＵ２０のメインメモリである。ＲＡＭ２５は、ＣＰＵ２０が制御プログラム２７ａを実行するときに必要なデータなどを記憶するのに用いられる。
【００５５】
ＣＰＵ２０は、画像形成装置１の各部に、信号を送受可能に接続されている。ＣＰＵ２０は、ＲＯＭ２３、ＲＡＭ２５、又は不揮発メモリ２７などに記憶された制御プログラム２７ａなどを実行することにより、画像形成装置１の種々の動作を制御する。ＣＰＵ２０は、操作部１１から操作信号が送られたり、画像形成装置１に接続されている外部機器などから操作コマンドが送信されたりすると、それらに応じて所定の制御プログラム２７ａを実行する。これにより、ユーザによる操作部１１の操作などに応じて、画像形成装置１の所定の機能が実行される。
【００５６】
ＣＰＵ２０は、例えば、画像データの文字幅の調整やコントラストや配色変換を行う画像処理部としても機能する。なお、画像処理部は、ＣＰＵ２０そのものとは別に設けられていてもよい。
【００５７】
図２に示すように、画像形成装置１は、さらに、画面制御部１７、通信部５０、及び認証管理部８０などを有している。
【００５８】
画面制御部１７は、表示パネル１３の表示を制御する。画面制御部１７は、表示パネル１３に表示する表示画面を取得する処理を行う。すなわち、画面制御部１７は、例えば予め用意されて不揮発メモリ２７やＲＯＭ２３などに記憶されている画像を読み込み、表示パネル１３に表示したり、表示画面を生成して表示パネル１３に表示したりする。
【００５９】
通信部５０は、例えば所定の方式による無線通信や有線通信を外部端末との間で行うことができるように構成されている。このとき、通信部５０は外部端末と画像形成装置１との間で接続が確立している状態において、データ（文書データ、画像データなど）の通信を行うことができる。接続が確立していない状態においては、両者間でデータの通信を行うことができない。
【００６０】
認証管理部８０は、画像形成装置１について、ユーザ認証を行う。ユーザ認証は、画像形成装置１を利用するユーザを識別し、認証するジョブである。ユーザは、ユーザ認証による認証を経て、画像形成装置１にログインし、画像形成装置１を利用することができる。
【００６１】
ユーザ認証では、例えば不揮発メモリ２７に記憶されている認証データベース（図示せず）が用いられる。認証データベースには、ユーザ認証可能なユーザの情報とそのユーザの認証に必要な認証情報とが対応付けられて記録されている。認証情報は、例えばユーザ毎に設定されたパスワードである。認証データベースには、各ユーザについて実行を許可する機能に関する情報が、そのユーザに対応付けて記録されている。
【００６２】
ユーザ認証は、例えば、次に示すようにして行われる。すなわち、まず、ユーザに、ユーザ認証画面が提示される。ユーザ認証画面は、表示パネル１３に表示される。ユーザは、操作部１１を操作し、画像形成装置１にそのユーザの情報（例えば、アカウント名など）とパスワードとを入力する。操作部１１にこれらの情報が入力されると、ＣＰＵ２０は、認証データベースを参照し、入力されたデータに基づいて、そのユーザの認証可否を判断する。認証可能であれば、ＣＰＵ２０は、そのユーザについて認証成立とし、認証が成立した認証ユーザについて実行を許可されている機能を実行可能とする。このとき、認証ユーザは画像形成装置１にログインした状態になる。これにより、画像形成装置１は、画像形成装置１を用いるユーザを識別できる。
【００６３】
ユーザ認証を行ってユーザを識別することで、表示パネル１３の表示や利用可能な機能などを認証されたユーザに適合するものにして、画像形成装置１の利便性を高められる。また、認証されたユーザが画像形成装置１の近くにいるときに、他のユーザの目に触れないようにして印刷物を出力できるなど、高いセキュリティ効果が得られる。
【００６４】
画像形成装置１において、ＣＰＵ２０は、ユーザ認証により識別したユーザに応じて、画像形成装置１の機能についてのユーザの使用権限を管理する。使用権限の管理が行われることで、ユーザ毎に、後述のような印刷の実行操作など、所定の機能の使用を制限することができ、高いセキュリティ効果が得られる。
【００６５】
なお、ユーザ認証の方式は上記に限られるものではなく、公知の方法を適宜採用することができる。認証情報の参照先や認証を行う主体などは、上記のものとは異なっていてもよい。例えば、画像形成装置１自身がユーザ認証を行うための認証情報を保有しており、画像形成装置１がユーザからの認証要求を受け付けて、認証情報に基づいて、そのユーザを認証してもよい。また、例えば接触式・非接触式のＩＤカードを用いたカード認証方式や、ユーザの指紋情報や静脈情報などを利用した生体認証方式などを採用し、ユーザにアカウント名などの情報やパスワードの入力を要求しないようにしてもよい。認証データベースは、画像形成装置１とは別に設けられたサーバ（図示せず）などで管理されていてもよい。
【００６６】
本実施の形態において、不揮発メモリ２７には、データの保管場所として、複数のＢＯＸが設定されている。ＢＯＸは、個々のユーザや、所定のユーザのグループなどに関連付けて設定された記憶領域である。個々のＢＯＸは、それぞれ、複数のデータを記憶可能である。例えば、ＣＰＵ２０は、外部から送信されたジョブのデータや、画像読取部４０で読み取った画像データなどを、ＢＯＸに記憶させる。これにより、データを分類・整理して不揮発メモリ２７に記憶させることができる。また、ＣＰＵ２０は、ＢＯＸ毎に認証の有無などに応じたアクセス制限を行う。これにより、ＢＯＸに記憶されているデータのセキュリティを確保することができる。さらにまた、ＣＰＵ２０は、ＢＯＸ間でデータを移動したり複製したりすることができる。読み取られた画像データは、ＣＰＵ２０によりアプリケーションデータ形式に変換され、ＢＯＸなどに記憶される。
【００６７】
ＣＰＵ２０は、ＢＯＸなどに記憶された画像データなど（原稿）について、所定の機能による処理を実行できる。本実施の形態において、画像形成装置１には、印刷、ＦＡＸ，送信、ＢＯＸ、プログラムといった各機能が設けられており、原稿について、印刷、送信、データ移動を行うことができる。このような処理は、例えば後述のように、ＢＯＸ内の原稿画像を選択する操作を行うことで、実行させることができる。
【００６８】
ここで、操作部１１には、操作位置検出部１５が設けられている。操作位置検出部１５は、ユーザが表示パネル１３を操作したとき、表示パネル１３上においてその操作入力が行われた位置を検出する。操作位置検出部１５は、例えば、表示パネル１３上のユーザの指先などで触れられた位置をユーザの操作位置として検出できる。ＣＰＵ２０は、操作位置検出部１５で検出されたユーザの操作位置に応じて、制御を行うことができる。
【００６９】
図３は、表示パネル１３に表示される表示画面の一例を示す図である。
【００７０】
図３に示されるように、表示パネル１３には、例えば、画像形成装置１の操作を行うための表示画面５０１が表示される。表示画面５０１には、大まかに、原稿アイコンエリア５１０と機能アイコンエリア５２０とが設けられている。原稿アイコンエリア５１０は、表示画面５０１のうち左側に配置されている。他方、機能アイコンエリア５２０は、表示画面５０１のうち右側に配置されている。
【００７１】
原稿アイコンエリア５１０には、例えば、ＢＯＸのうち１つ（図３においては、ｂｏｘＡ）の内容が表示される。ＢＯＸの内容は、アイコン表示される。すなわち、図３に示されている例では、４つの原稿アイコン５１１，５１２，５１３，５１４が表示されている。各原稿アイコン５１１〜５１４は、それぞれ、原稿１，原稿２，原稿３，原稿４に対応するものである。ここで原稿１〜４は、例えば、テキストデータであったり、画像データであったり、ＰＤＦ（Ｐｏｒｔａｂｌｅ  Ｄｏｃｕｍｅｎｔ  Ｆｏｒｍａｔ）形式のデータであったり、その他のアプリケーションのデータ形式のデータである。画像形成装置１は、これらの形式の原稿について、印刷等を行うことができる。
【００７２】
機能アイコンエリア５２０には、５つの機能アイコン５２１〜５２５が表示されている。すなわち、印刷アイコン５２１、ファクシミリアイコン５２２、送信アイコン５２３、ＢＯＸアイコン５２４、プログラムアイコン５２５である。印刷アイコン５２１は、画像形成装置１の印刷機能（プリンタとしての機能）に対応する。ファクシミリアイコン５２２は、画像形成装置１のファクシミリ機能に対応する。送信アイコン５２３は、画像形成装置１の送信機能（情報送信機能）に対応する。ＢＯＸアイコン５２４は、画像形成装置１のＢＯＸへの記憶機能に対応する。プログラムアイコン５２５は、画像形成装置１の登録プログラム機能に対応する。
【００７３】
ユーザは、表示画面５０１に表示された原稿アイコン５１１〜５１４のそれぞれを操作することにより、画像形成装置１に、操作した原稿アイコン５１１〜５１４に対応する原稿についての処理を実行させることができる。また、ユーザは、機能アイコン５２１〜５２５のそれぞれを操作することにより、画像形成装置１に、操作した機能アイコン５２１〜５２５に対応する機能を実行させることができる。ユーザは、表示パネル１３上に触れることにより（タッチ操作）、これらの操作を行うことができる。
【００７４】
ここで、原稿アイコン５１１〜５１４は、ユーザのドラッグ操作に応じて、表示画面５０１上で移動可能に表示されている。すなわち、原稿アイコン５１１〜５１４をユーザが指しながら、その指した位置を表示画面５０１上で移動させると（ドラッグ操作）、ユーザが指している位置に、指された原稿アイコン５１１〜５１４が移動する。換言すると、ユーザにより指された原稿アイコン５１１〜５１４は、ユーザが指す位置が変化するのに追従して、表示画面５０１上で移動する。
【００７５】
ユーザは、原稿アイコン５１１〜５１４について、機能アイコン５２１〜５２５に向けてドラッグ操作やフリック操作などの方向性を伴う操作を行ったり、ドロップ操作を行ったりすることができる。このような操作が行われると、画像形成装置１は、操作された原稿アイコン５１１〜５１４に対応する原稿について、処理を実行する。処理は、ユーザが行った操作態様に応じて行われる。また、ユーザが上記方向性を伴う操作を行ったときには、処理は、ユーザが行った操作の方向性と機能アイコン５２１〜５２５の位置などに応じて行われる。
【００７６】
これらの処理は、例えば、ＣＰＵ２０が、制御プログラム２７ａを実行し、画像形成装置１の各部を制御することで実現される。以下、原稿アイコン５１１〜５１４のうち例えば原稿アイコン５１１がユーザにより操作された場合を想定して、そのとき行われる画像形成装置１の動作について説明する。
【００７７】
図４は、原稿アイコン５１１の操作が行われたときに画像形成装置１で行われる動作の一例を説明するフローチャートである。
【００７８】
図４に示されるように、ステップＳ１０１において、原稿アイコン５１１が押下操作されると、ドラッグ操作が開始される。ＣＰＵ２０は、ユーザによる当該ドラッグ操作が行われたことを検知し、受け付ける。
【００７９】
ステップＳ１０２において、ＣＰＵ２０は、操作された原稿アイコン５１１の位置Ｘを取得する。位置Ｘは、ドラッグ操作が検出される前の原稿アイコン５１１の位置である。位置Ｘは、表示画面５０１上の位置であり、例えば二次元の座標として示される。
【００８０】
ステップＳ１０３において、ＣＰＵ２０は、ドラッグ操作が続けられることにより、原稿アイコン５１１が所定の距離だけ移動したか否かを判断する。本実施の形態では、例えば、原稿アイコン５１１が位置Ｘから所定の距離だけ離れたとき、ＣＰＵ２０は、所定の距離だけ移動したと判断する。なお、これに限られず、ＣＰＵ２０は、原稿アイコン５１１の移動軌跡の距離が所定の距離に達したとき、所定の距離だけ移動したと判断するようにしてもよい。
【００８１】
ステップＳ１０３で所定の距離だけ移動したと判断された場合には、ステップＳ１０４の処理を行う。ステップＳ１０４において、ＣＰＵ２０は、そのときの原稿アイコン５１１の位置Ｙを取得する。すなわち、ＣＰＵ２０は、ドラッグ操作により所定距離だけ移動した後の原稿アイコン５１１の位置Ｙを取得する。
【００８２】
ステップＳ１０５において、ＣＰＵ２０は、取得した位置Ｘと位置Ｙとを用いて、原稿アイコン５１１の移動方向を算出する。
【００８３】
ステップＳ１０６において、ＣＰＵ２０は、例えば原稿アイコン５１１の当初の位置Ｘを始点として、その始点から見て、算出した移動方向上に、機能アイコン５２１〜５２５のいずれかがあるか否かを判断する。ＣＰＵ２０は、移動方向上に機能アイコン５２１〜５２５がある場合、ユーザのドラッグ操作は、その機能アイコン５２１〜５２５と原稿アイコン５１１とを対応付けるものであると判定できる。この判定は、原稿アイコン５１１の表示画面５０１における位置、機能アイコン５２１〜５２５の表示画面における位置、及びユーザのドラッグ操作の方向性に基づいて行われるものである。
【００８４】
ステップＳ１０６において機能アイコン５２１〜５２５がなければ、ＣＰＵ２０は、ここまでの一連の処理を終了する。なお、このとき、ＣＰＵ２０は、ユーザによる操作が継続して行われていれば、原稿アイコン５１１についてのドラッグ操作が引き続き行われているものとして以降の操作を受け付ける。これに限られず、ＣＰＵ２０は、ユーザによる操作が継続して行われているか否かにかかわらず、ドラッグ操作がキャンセルされたものと判断するようにしてもよい。
【００８５】
他方、ステップＳ１０６において機能アイコン５２１〜５２５のいずれかがあれば、ステップＳ１０７において、ＣＰＵ２０は、その機能アイコン５２１〜５２５の表示態様を変更する。表示態様の変更は、例えば、ユーザが表示画面５０１を見て把握できるように行われる。表示態様の変更の詳細については、後述する。
【００８６】
ステップＳ１０８において、ＣＰＵ２０は、原稿アイコン５１１についてドロップ操作（原稿アイコン５１１を離す操作）が行われたか否かを判断する。ＣＰＵ２０は、ドロップ操作が行われるまで、待機する。
【００８７】
ステップＳ１０８でドロップ操作が行われたことが検出されると、ステップＳ１０９において、ＣＰＵ２０は、ステップＳ１０７において表示態様を変更した機能アイコン５２１〜５２５に対応する機能により、原稿アイコン５１１に対応する原稿についての処理を実行させる。
【００８８】
このとき、ＣＰＵ２０は、原稿アイコン５１１に対応する原稿についての処理を、実行する機能に対応する機能アイコン５２１〜５２５についての初期モードで実行する。初期モードは、予め、その機能アイコン５２１〜５２５について設定された実行モードである。例えば、印刷機能に関しては、カラー印刷であるかモノクロ印刷であるかの別や、用紙サイズや、トナー濃度などの設定事項に関する設定値が、実行モードについて設定可能である。初期モードは、例えば、これらの設定事項について標準的な設定値が設定されている実行モードである。なお、初期モードは、適宜ユーザが変更可能なものであってもよい。
【００８９】
このようにして原稿アイコン５１１に対応する原稿について機能アイコン５２１〜５２５に対応する機能により処理が行われると、原稿アイコン５１１のドラッグ操作が行われてからの一連の動作が終了する。ドラッグ操作が継続して行われることによって、表示画面５０１において原稿アイコンが機能アイコンに近接する（例えば、表示画面５０１において原稿アイコン５１１が機能アイコン５２１〜５２５のいずれかに重なったり、互いの距離が極めて近くなったりする状態をいう。）よりも前に、この処理は行われることとなる。
【００９０】
図５は、原稿アイコン５１１のドラッグ操作について説明する第１の図である。
【００９１】
図５においては、原稿アイコンエリア５１０に原稿アイコン５１１のみが表示されている場合を仮定して示している。図５において、ユーザの手の形は、ユーザの操作位置（原稿アイコン５１１を押下してからの押下位置）を示している。
【００９２】
原稿アイコン５１１についてユーザがドラッグ操作した場合を想定する。このとき、ユーザの操作位置が変わるにつれて、原稿アイコン５１１の位置が移動する。例えば、ユーザが、操作位置５３０から操作位置５３１までドラッグ操作を行うと、原稿アイコン５１１は、原稿アイコン５１１ａとして示される位置まで移動する。
【００９３】
ここで、操作位置５３０（位置Ｘ）から、所定の距離Ｄ１だけ離れた位置の操作位置５３１（位置Ｙ）までユーザがドラッグ操作を行うと、ＣＰＵ２０により、ドラッグ操作の方向性が算出される。そして、ＣＰＵ２０は、ドラッグ操作の操作方向に、機能アイコン５２１〜５２５が位置するか否かを判定する。
【００９４】
図６は、原稿アイコン５１１のドラッグ操作について説明する第２の図である。
【００９５】
ドラッグ操作の操作方向に、機能アイコン５２１〜５２５が位置すると判定されると、当該機能アイコン５２１〜５２５の表示態様が変更される。例えば、図５に示される例においては、ユーザの操作方向に、印刷アイコン５２１が位置している。このとき、図６に示されるように、印刷アイコン５２１は、若干通常時よりも拡大された印刷アイコン５２１ａとして表示される。これにより、その存在が強調されるようにして、印刷アイコン５２１ａが表示される。
【００９６】
本実施の形態において、ドラッグ操作の操作方向に、機能アイコン５２１〜５２５が位置すると判定されると、ＣＰＵ２０は、原稿アイコン５１１と、当該機能アイコン５２１とを対応付ける線５４１を表示画面５０１に描画する。原稿アイコン５１１と印刷アイコン５２１とを対応付ける線５４１が表示画面５０１上に線５４１が表示される。線５４１は、ユーザの操作方向を示すものとなる。ユーザは、この線５４１を見て、ドラッグ操作の操作方向が、印刷アイコン５２１に向く方向であることを容易に確認できる。
【００９７】
線５４１は、例えば点線である。これに限られず、矢印や実線によって、操作方向や、原稿アイコン５１１と印刷アイコン５２１との対応付けが示されるようにしてもよい。
【００９８】
なお、ユーザの操作の方向性が算出されたとき、ユーザの操作方向に機能アイコン５２１〜５２５が位置するか否かにかかわらず、線５４１が表示されるようにしてもよい。ユーザは、この線５４１を見て、ドラッグ操作の操作方向がどのようであるか、容易に確認できる。
【００９９】
図７は、機能アイコン５２１〜５２５の表示態様の変更例について説明する図である。
【０１００】
なお、機能アイコン５２１〜５２５の表示態様の変更は、上述のようにそのアイコンを拡大表示することにより行われるものに限られない。例えば、図５に示されるようにユーザの操作方向に印刷アイコン５２１が位置しているとき、図７に示されるように、印刷アイコン５２１は、若干通常時よりも表示色が変更された印刷アイコン５２１ｂとして表示されるようにしてもよい。このような表示色を変更することによっても、印刷アイコン５２１ｂの存在が強調されるように表示できる。これにより、ドラッグ操作の操作方向に印刷アイコン５２１があることがユーザにより容易に認識される。
【０１０１】
ユーザにより、例えば原稿アイコン５１１について操作方向に印刷アイコン５２１が位置するようにドラッグ操作を行われると、このように、原稿アイコン５１１に関連付いている印刷アイコン５２１の表示態様が変更されたり、線５４１が表示されたりする。ユーザは、これを表示画面５０１で確認すると、原稿アイコン５１１のドロップ操作を行う。ドロップ操作が行われると、そのとき原稿アイコン５１１に関連付いている印刷アイコン５２１の印刷機能が、原稿アイコン５１１に対応する原稿の情報について実行される。印刷機能は、印刷機能の初期モードで実行される。例えば印刷機能について、初期モードとして、両面印刷及びいわゆる２ｉｎ１印刷を行うことが設定されている場合には、印刷ジョブの実行時において、原稿が、いわゆる２ｉｎ１で、両面印刷される。
【０１０２】
なお、ユーザは、表示画面上で所定の入力を行うことにより、所定の実行モード（印刷機能の実行モード、ファクシミリ機能の実行モード、…など）での機能の実行時に用いられる設定値を設定することができる。例えば、ユーザは、印刷機能について、初期モードとして両面印刷及び２ｉｎ１印刷を行うことが設定されている場合において、初期モードとして片面印刷及び１枚の用紙に１ページの印刷を行うように、設定できる。
【０１０３】
このように、第１の実施の形態においては、ユーザは、処理対象とする原稿アイコン５１１〜５１４について、所望の機能に対応する機能アイコン５２１〜５２５に向けてドラッグ操作を行い、ドロップ操作を行うことで、容易にその機能の初期モードで処理を実行させることができる（以下、このような操作方法を、短縮操作ということがある。）。原稿アイコン５１１〜５１４を機能アイコン５２１〜５２５に近接させる前に処理を実行させることができるので、ユーザによるドラッグ操作は短時間、短距離でよい。したがって、初期モードによる処理の実行を速やかに指示可能である。例えば、出力態様にこだわらない、初期モードで出力してよい原稿については、すばやく、容易な操作で、印刷ジョブを投入することができる。その結果、ユーザは、速やかに印刷物を得ることができる。
【０１０４】
なお、原稿アイコン５１１〜５１４についてドラッグ操作が行われたとき、その移動方向にある機能アイコン５２１〜５２５（原稿アイコン５１１〜５１４に対応付けられている機能アイコン５２１〜５２５）について、表示態様の変更は行われなくてもよい。また、両者を結ぶような線５４１は、表示されなくてもよい。
【０１０５】
また、原稿アイコン５１１〜５１４についてドラッグ操作が行われた結果、その操作された原稿アイコン５１１〜５１４が所定距離だけ移動した場合に、ドロップ操作が行われなくても、移動方向にある機能アイコン５２１〜５２５の機能で、初期モードによる処理が実行されるようにしてもよい。
【０１０６】
［第２の実施の形態］
【０１０７】
第２の実施の形態における画像形成装置の基本的な構成は、第１の実施の形態におけるそれと同じであるためここでの説明を繰り返さない。ユーザは、初期モードによる処理の実行方法も、第１の実施の形態における短縮操作と同様にして行うことができる。第２の実施の形態においては、初期モードによる処理の実行と詳細設定したうえでの処理の実行とを容易に区別して画像形成装置１に指示可能である点が第１の実施の形態と異なる。
【０１０８】
第２の実施の形態に係る画像形成装置１では、原稿アイコン５１１〜５１４がドラッグ操作され、機能アイコン５２１〜５２５にドロップ操作されたとき、機能アイコン５２１〜５２５に対応する機能の詳細設定モードに動作モードが移行する。詳細設定モードでは、ドロップ操作がされた機能アイコン５２１〜５２５に対応する詳細設定画面が、表示画面５０１に表示される。ユーザは、詳細設定画面で、ドロップ操作された機能アイコン５２１〜５２５に対応する機能について詳細設定を行った上で、その機能を実行させることができる。
【０１０９】
図８は、第２の実施の形態における画像形成装置１を用いた操作と表示画面５０１との関係の一例を説明する図である。
【０１１０】
以下、一例として、原稿アイコン５１１に対応する原稿を詳細設定を行ったうえで印刷する場合について、ユーザが行う操作と画像形成装置１の動作とを説明する。
【０１１１】
図８に示されるように、ユーザは、原稿アイコン５１１を押下操作し（操作位置５３０）、印刷アイコン５２１に向けてドラッグする（ドラッグ操作）。ここで、印刷アイコン５２１に向けてドラッグ操作が行われ、所定距離原稿アイコン５１１が移動すると、原稿アイコン５１１と印刷アイコン５２１とが関連付いていると判断される。その結果、第１の実施の形態と同様に、印刷アイコン５２１が拡大表示される（印刷アイコン５２１ａ）。このように印刷アイコン５２１の表示態様が変更された後に、印刷アイコン５２１とは離れた位置でドロップ操作が行われると、原稿について、初期モードでの印刷が実行されることになる（短縮操作による初期モードでの印刷実行。）。
【０１１２】
ドロップ操作が行われずに操作が継続され、図８に示されるように原稿アイコン５１１が印刷アイコン５２１に重なるまで移動されると（図８において操作位置５３２、原稿アイコン５１１ｂとして示されている。）、ユーザは、ドロップ操作を行う。ユーザがドロップ操作を行うと、印刷機能に関する詳細設定画面が、表示パネル１３に表示画面として表示される。すなわち、印刷機能の詳細設定モードに画像形成装置１の動作モードが移行する。
【０１１３】
図９は、印刷機能に関する詳細設定画面の一例を示す図である。
【０１１４】
図９に示されるように、印刷機能に関する詳細設定画面５５１には、５つの機能設定ボタン５６１〜５６５が設けられている。ユーザは、各機能設定ボタン５６１〜５６５を操作することで、そのボタンに対応する設定を行うことができる。原稿画質設定ボタン５６１は、印刷画質に関する設定を行うためのボタンである。カラー設定ボタン５６２は、印刷をカラーで行うかモノクロで行うかなどを設定するためのボタンである。濃度設定ボタン５６３は、印刷濃度を設定するためのボタンである。用紙設定ボタン５６４は、印刷する用紙の大きさや、厚みなどに関する設定を行うためのボタンである。倍率設定ボタン５６５は、小さい用紙に原稿を縮小して印刷するときや、大きい用紙に原稿を拡大して印刷するときなどに設定を行うためのボタンである。ユーザは、このような詳細設定画面５５１を経て、設定を行った後、所定の操作を行うことで、印刷を実行させることができる。
【０１１５】
これらの処理は、例えば、ＣＰＵ２０が、制御プログラム２７ａを実行し、画像形成装置１の各部を制御することで実現される。以下、原稿アイコン５１１〜５１４のうち例えば原稿アイコン５１１がユーザにより操作された場合を想定して、そのとき行われる画像形成装置１の動作について説明する。
【０１１６】
図１０は、第２の実施の形態において原稿アイコン５１１の操作が行われたときに画像形成装置１で行われる動作の一例を説明する第１のフローチャートである。
【０１１７】
図１０において、ステップＳ２０１からステップＳ２０８までの処理は、第１の実施の形態のステップＳ１０１からステップＳ１０８までの処理と同様である。すなわち、ＣＰＵ２０は、原稿アイコン５１１についてドラッグ操作が行われると、その移動方向にある機能アイコン５２１〜５２５についての表示態様を変更する。そして、ＣＰＵ２０は、原稿アイコン５１１が離されたか否か（ドロップ操作が行われたか否か）について、判断する。
【０１１８】
ステップＳ２０８で原稿アイコン５１１が離されると、ステップＳ２０９において、ＣＰＵ２０は、離された位置に機能アイコン５２１〜５２５が存在するか否かを判断する。
【０１１９】
ステップＳ２０９において存在しない場合には（ＮＯ）、ステップＳ２１０において、ＣＰＵ２０は、初期モードで、操作方向に対応する機能アイコン５２１〜５２５の機能を実行する。
【０１２０】
ステップＳ２０９において存在する場合には（ＹＥＳ）、ステップＳ２１１において、ＣＰＵ２０は、機能アイコン５２１〜５２５に対応する機能について設定するための詳細設定モードに動作モードを移行する。これにより、詳細設定画面が表示される。
【０１２１】
図１１は、第２の実施の形態において原稿アイコン５１１の操作が行われたときに画像形成装置１で行われる動作の一例を説明する第２のフローチャートである。
【０１２２】
図１０のステップＳ２０６では、原稿アイコン５１１の移動方向に機能アイコン５２１〜５２５があるか否かが判断される。機能アイコン５２１〜５２５がなければ、図１１の処理に進む。
【０１２３】
ステップＳ２０６で移動方向に機能アイコン５２１〜５２５がなければ、ステップＳ２１２の処理が行われる。すなわち、図１１に示されるように、ステップＳ２１２において、ＣＰＵ２０は、原稿アイコン５１１がドロップ操作されたか否かを判断する。ドロップ操作された途判断されれば、ステップＳ２１３の処理に移る。
【０１２４】
ステップＳ２１３において、ＣＰＵ２０は、原稿アイコン５１１が離された位置に、機能アイコン５２１〜５２５があるか否かを判断する。
【０１２５】
ステップＳ２１３で機能アイコン５２１〜５２５があれば、ステップＳ２１４において、ＣＰＵ２０は、ステップＳ２１１と同様に、その機能アイコン５２１〜５２５に対応する機能について設定するための詳細設定モードに動作モードを移行する。
【０１２６】
他方、ステップＳ２１３で機能アイコン５２１〜５２５がなければ、ステップＳ２１５において、ＣＰＵ２０は、ドラッグ処理をキャンセルする。すなわち、原稿アイコン５１１についての処理は実行されず、表示画面５０１の表示が操作前の状態に戻る。
【０１２７】
第２の実施の形態において、印刷アイコン５２１とは異なる機能アイコン５２２〜５２５に原稿アイコン５１１がドロップ操作されたときには、それぞれの機能アイコン５２２〜５２５に応じて、例えば次のように詳細設定画面が表示される。
【０１２８】
例えば、ファクシミリアイコン５２２にドロップ操作が行われると、ファクシミリ送信機能についての詳細設定画面として、ファクシミリ送信の送信先選択画面が表示される。送信先選択画面では、ファクシミリ送信の送信先を、予め登録されている送信先候補から選択することで指定したり、直接に番号入力を行って指定したりできる。なお、ファクシミリアイコン５２２について短縮操作が行われ、初期モードで処理が行われる場合にも、送信先選択画面が表示されるようにしてもよいし、所定の送信先に送信する処理が実行されるようにしてもよい。
【０１２９】
また、例えばプログラムアイコン５２５にドロップ操作が行われると、登録プログラム機能についての詳細設定画面が表示される。画像形成装置１では、予め、ユーザにより選択された機能について、所望の設定値を関連付けたうえで登録されている（登録プログラム）。この詳細設定画面では、このような、予め特定の印刷設定や送信設定が行われた登録プログラムについての設定画面が表示される。ユーザは、詳細設定画面の登録プログラムを選択したり、設定値を用いて指定したり、直接に番号入力を行って指定したりできる。これにより、ユーザは、容易に、原稿について、その登録プログラムで設定された内容に基づいて機能を実行させることができる。
【０１３０】
ここで、詳細設定画面は、プログラム登録された設定値が反映された状態で表示される。例えば、登録プログラムとして、両面印刷及びいわゆる４ｉｎ１印刷を行うことが設定されているとき、詳細設定モードに動作モードが移行すると、４ｉｎ１設定及び両面印刷設定が既に選択されている状態で、詳細設定画面が表示される。なお、プログラムアイコン５２５について、短縮操作が行われ、初期モードで処理が実行がされるときには、選択原稿に対して、両面印刷及び４ｉｎ１印刷を行うように、ジョブが実行される。
【０１３１】
図１２は、原稿アイコン５１１が送信アイコン５２３にドロップ操作されるときの画像形成装置１の動作の一例を説明する図である。
【０１３２】
図１２に示されるように、原稿アイコン５１１が、送信アイコン５２３上までドラッグされた場合を想定する（図１２において、原稿アイコン５１１ｃ及び操作位置５３３で示されている。なお、図１２では、機能アイコン５２１〜５２５に関する表示態様の変更は示されていない。）。この場合において、送信アイコン５２３にドロップ操作が行われると、情報送信機能についての詳細設定画面として、情報送信の送信先選択画面が表示される。ここで、情報送信機能では、例えば、ＦＴＰ（Ｆｉｌｅ  Ｔｒａｎｓｆｅｒ  Ｐｒｏｔｏｃｏｌ）や電子メールにより、原稿のデータが送信先に送信される。
【０１３３】
図１３は、情報送信機能に関する送信先選択画面の一例を示す図である。
【０１３４】
図１３に示されるように、情報送信機能に関する送信先選択画面５５３には、カラー設定ボタン５７２と、濃度設定ボタン５７３と、倍率設定ボタン５７４と、送信先選択ボタン５７５とが配置されている。機能設定ボタン５７２〜５７４は、印刷機能に関する詳細設定画面５５１における機能設定ボタン５６２，５６３，５６５と同様のはたらきをするものである。送信先選択ボタン５７５は、ここでは例えば４人のユーザについて送信先とする選択操作を受け付け可能に表示されている。各ユーザのボタンについては、そのユーザの連絡先情報（例えば、電子メールアドレスや、ＦＴＰサーバのアドレス及びアカウントなど）が関連付けられている。
【０１３５】
ユーザは、このように表示された送信先選択画面５５３から、送信先とするユーザの選択操作を行う。あわせて、必要であれば、送信する原稿の情報についてのカラー、濃度、倍率などを設定する操作を、機能設定ボタン５７２〜５７４を利用して行うことができる。これにより、機能設定ボタン５７２〜５７４を通じて設定された状態で、原稿の情報が、選択されたユーザに送信される。
【０１３６】
なお、原稿アイコン５１１について、送信アイコン５２３に向けた短縮操作が行われると、ＣＰＵ２０は、所定の送信先に、原稿アイコン５１１に対応する原稿の情報の送信を行う。例えば、個人ユーザが画像形成装置１にログインし、ＢＯＸ内の原稿を送信する場合を想定する。この場合、初期モードでは、操作した個人ユーザの送信宛先に原稿を送信するジョブが実行される（Ｓｃａｎ−ｔｏ−ｍｅ機能）。Ｓｃａｎ−ｔｏ−ｍｅ機能は、予め、個人ユーザの情報の１つとして、そのユーザの電子メールアドレスを設定しておくことで、自分あてに原稿を送信する機能である。送信機能が初期モードで実行されると、選択された原稿が、自分の電子メールアドレスあてに送信される。これにより、速やかに情報送信を行うことができる。
【０１３７】
図１４は、原稿アイコン５１１がＢＯＸアイコン５２４にドロップ操作されるときの画像形成装置１の動作の一例を説明する図である。
【０１３８】
図１４に示されるように、原稿アイコン５１１が、ＢＯＸアイコン５２４上までドラッグされた場合を想定する（図１４において、原稿アイコン５１１ｄ及び操作位置５３４で示されている。なお、図１４では、機能アイコン５２１〜５２５に関する表示態様の変更は示されていない。）。この場合において、ＢＯＸアイコン５２４にドロップ操作が行われると、ＢＯＸへの情報記憶機能についての詳細設定画面として、記憶領域選択画面が表示される。ここで、情報記憶機能では、例えば、スキャンにより読み取られた画像等、種々の原稿が、あるＢＯＸから、記憶先のＢＯＸに記憶される。
【０１３９】
図１５は、ＢＯＸへの情報記憶機能に関する記憶領域選択画面の一例を示す図である。
【０１４０】
図１５に示されるように、情報記憶機能に関する記憶領域選択画面５５５には、例えば４つのＢＯＸ選択ボタン５８１〜５８４が配置されている。ＢＯＸ選択ボタン５８１は、例えば「ボックス１」のＢＯＸに対応する。ＢＯＸ選択ボタン５８２は、例えば「ボックス２」のＢＯＸに対応する。ＢＯＸ選択ボタン５８３は、例えば「ボックス３」のＢＯＸに対応する。ＢＯＸ選択ボタン５８４は、例えば「ボックス４」のＢＯＸに対応する。
【０１４１】
ユーザは、このように表示された記憶領域選択画面５５５において、記憶先とするＢＯＸの選択操作を行う。原稿の情報は、このようにして選択されたＢＯＸ選択ボタン５８１〜５８４に対応するＢＯＸに、記憶される。
【０１４２】
なお、原稿アイコン５１１について、ＢＯＸアイコン５２４に向けた短縮操作が行われると、ＣＰＵ２０は、所定の記憶領域に、原稿アイコン５１１に対応する原稿の情報の記憶を行う。例えば、操作したユーザのＢＯＸに、原稿の情報が記憶される。これにより、速やかに情報記憶を行うことができる。
【０１４３】
以上説明したように、第２の実施の形態によれば、短縮操作により初期モードで各機能を実行させられ、かつ、原稿アイコン５１１〜５１４をドラッグ操作した後、機能アイコン５２１〜５２５にドロップ操作することで、詳細設定画面を表示させて各機能を実行させることができる。したがって、直感的な操作で、様々な態様で機能を実行させることができる。
【０１４４】
［第３の実施の形態］
【０１４５】
第３の実施の形態における画像形成装置の基本的な構成は、第２の実施の形態におけるそれと同じであるためここでの説明を繰り返さない。ユーザは、初期モードによる処理の実行方法も、第２の実施の形態における短縮操作と同様にして行うことができる。第３の実施の形態においては、第２の実施の形態と同様に短縮操作が行われた後に、ドラッグ操作の方向が変化すると、その変化後のドラッグ操作の方向に応じて、機能アイコンとの対応付けが行われる。
【０１４６】
第３の実施の形態に係る画像形成装置１では、ＣＰＵ２０は、原稿アイコン５１１〜５１４がドラッグ操作された後、ドラッグ操作の操作方向（原稿アイコン５１１〜５１４の移動方向）が変化すると、それを検出する。そして、その後、ＣＰＵ２０は、ドラッグ操作により原稿アイコン５１１〜５１４が所定距離だけ移動すると、移動後の原稿アイコン５１１〜５１４の位置を検出する。ＣＰＵ２０は、ドラッグ操作の操作方向が変わってからの操作方向を、原稿アイコン５１１〜５１４の操作方向が変化したときの位置（ここが基点となる。）と、移動後の位置とから算出する。そして、その算出した原稿アイコン５１１〜５１４の移動方向に機能アイコン５２１〜５２５があるか否かを判定する。機能アイコン５２１〜５２５があれば、その機能アイコン５２１〜５２５と原稿アイコン５１１〜５１４とを対応付ける。すなわち、その後原稿アイコン５１１〜５１４がドロップ操作がされたときには、対応付けられている機能アイコン５２１〜５２５の機能で、当該原稿アイコン５１１〜５１４の原稿についての処理が初期モードで実行される。
【０１４７】
図１６は、第３の実施の形態における画像形成装置１を用いた操作と表示画面５０１との関係の一例を説明する図である。
【０１４８】
以下、一例として、原稿アイコン５１１に対応する原稿の情報について、初期モードでＢＯＸに送信詳細設定を行う場合について、ユーザが行う操作と画像形成装置１の動作とを説明する。以下の説明では、原稿アイコン５１１のドラッグ操作が開始されてから、いったん印刷アイコン５２１に向けてドラッグ操作が行われ、その後、ＢＯＸアイコン５２４に向けて操作方向が変更された場合を想定する。
【０１４９】
原稿アイコン５１１のドラッグ操作が印刷アイコン５２１に向けて開始されると（操作位置５３１から操作位置５３１）、印刷アイコン５１１の表示態様が変更される。そして、操作位置５３１からドラッグ操作の操作方向が変更され、操作位置５３１から所定距離だけ移動した位置（操作位置５３１ａ）までドラッグ操作が継続されると、操作位置５３１及び操作位置５３１ａから特定される操作方向に、機能アイコン５２１〜５２５があるか否かが確認される。ここでは、ドラッグ操作はＢＯＸアイコン５２４に向けて行われているところ、図１６に示されるように、操作方向にはＢＯＸアイコン５２４が存在する。そのため、原稿アイコン５１１ａとＢＯＸアイコン５２４とが対応付けられ、ＢＯＸアイコン５２４の表示態様は変更される（５２４ａ）。
【０１５０】
このとき、表示画面５０１において、第１の実施の形態と同様に、操作位置５３１に対応する原稿アイコン５１１ａとＢＯＸアイコン５２４との間を結ぶように、線５４１ａが表示される。これにより、原稿アイコン５１１とＢＯＸアイコン５２４とが対応付けられていることを、ユーザが容易に把握できる。なお、線５４１ａは表示されなくてもよい。
【０１５１】
ここで、先に表示態様が変更された印刷アイコン５２１は、ドラッグ操作の操作方向が変更されたときに、表示態様が通常どおりのものに戻される。換言すると、ドラッグ操作の操作方向が変更され、操作方向に印刷アイコン５２１があるとはいえなくなったときに、原稿アイコン５１１と印刷アイコン５２１との対応付けは解除される。
【０１５２】
このようにして原稿アイコン５１１がＢＯＸアイコン５２４と対応付けられると、ユーザは、ドロップ操作を行うことで、原稿アイコン５１１に対応する原稿の情報について、初期モードで、ＢＯＸへの情報記憶機能を実行させることができる。
【０１５３】
第３の実施の形態においては、ユーザは、ドラッグ操作を開始した後でも、最初からドラッグ操作をやり直すことなく、実行対象の機能を変更できる。したがって、画像形成装置１がより使いやすいものとなる。
【０１５４】
［第４の実施の形態］
【０１５５】
第４の実施の形態における画像形成装置の基本的な構成は、第２の実施の形態におけるそれと同じであるためここでの説明を繰り返さない。ユーザは、初期モードによる処理の実行方法も、第２の実施の形態における短縮操作と同様にして行うことができる。第４の実施の形態においては、原稿アイコンについてフリック操作が行われた場合においても、機能アイコンとの対応付けが行われる。
【０１５６】
図１７は、第４の実施の形態において原稿アイコンのフリック操作が行われた場合の画像形成装置１の動作を示すフローチャートである。
【０１５７】
図１７に示されるように、ステップＳ３０１において、原稿アイコン５１１〜５１４についてユーザによるフリック操作が行われると、ＣＰＵ２０はそれを検知する。
【０１５８】
ステップＳ３０２において、ＣＰＵ２０は、フリック操作の方向（フリック方向）を取得する。
【０１５９】
ステップＳ３０３において、ＣＰＵ２０は、フリック方向に機能アイコン５２１〜５２５があるか否かを判断する。判断は、フリック方向と、機能アイコン５２１〜５２５のそれぞれの位置と、フリック操作が行われた原稿アイコン５１１〜５１４の位置とに応じて行われる。
【０１６０】
ステップＳ３０３において機能アイコン５２１〜５２５がなければ、ステップＳ３０４において、ＣＰＵ２０は、フリック操作に対する処理を行わず、処理をキャンセルする。
【０１６１】
他方、ステップＳ３０３において機能アイコン５２１〜５２５があれば、ステップＳ３０５において、ＣＰＵ２０は、機能アイコン５２１〜５２５の表示態様を変更する。すなわち、機能アイコン５２１〜５２５と原稿アイコン５１１〜５１４とを対応付ける。
【０１６２】
ステップＳ３０６において、ＣＰＵ２０は、該当する機能アイコン５１１〜５１４に対応する機能で、フリック操作が行われた原稿アイコン５１１〜５１４の原稿についての処理を実行する。処理は、その機能の初期モードで行われる。
【０１６３】
図１８は、第４の実施の形態における画像形成装置１を用いた操作と表示画面５０１との関係の一例を説明する図である。
【０１６４】
以下、一例として、原稿アイコン５１１に対応する原稿について、初期モードで印刷機能を実行させる場合について、ユーザが行う操作と画像形成装置１の動作とを説明する。
【０１６５】
図１８に示されるように、ユーザは、原稿アイコン５１１について、アイコン画像に指で触れた後、その指をはじくようにして、フリック操作を行う。図１８において、フリック操作の方向は、矢印Ｆ１で示されている。フリック操作が、印刷アイコン５２１に向けて行われると、ＣＰＵ２０は、印刷アイコン５２１と原稿アイコン５１１とを対応付ける。これにより、原稿アイコン５１１に対応する原稿について、初期モードで、印刷する処理が実行される。
【０１６６】
他の機能アイコン５２２〜５２５に向けてフリック操作が行われたときの動作も、これと同様である。すなわち、原稿アイコン５１１に対応付けられた機能アイコン５２２〜５２５が次のそれぞれである場合において、実行される処理は、例えば、次のようである。
【０１６７】
ファクシミリアイコン５２２の場合、例えば、宛先選択画面が表示される。なお、原稿アイコン５１１のファクシミリアイコン５２２へのドロップ操作が行われた場合にも、第２の実施の形態と同様に、宛先選択画面が表示される。
【０１６８】
送信アイコン５２３の場合、Ｓｃａｎ−ｔｏ−ｍｅ機能により原稿が送信される。なお、原稿アイコン５１１の送信アイコン５２３へのドロップ操作が行われた場合には、第２の実施の形態と同様に、原稿設定も行うことができる送信先選択画面５５３が表示されればよい。
【０１６９】
ＢＯＸアイコン５２４の場合、フリック操作を行ったユーザの個人ＢＯＸに原稿が移動（記憶）される。なお、原稿アイコン５１１のＢＯＸアイコン５２４へのドロップ操作が行われた場合には、第２の実施の形態と同様に、移動先ＢＯＸの選択画面（記憶領域選択画面５５５）が表示される。
【０１７０】
プログラムアイコン５２５の場合、プログラム登録された設定にてジョブが実行される。なお、プログラムアイコン５２５にドロップ操作が行われると、第２の実施の形態と同様に、プログラム登録された設定値が反映された状態で、登録プログラム機能についての詳細設定画面（印刷設定画面など））が表示される。
【０１７１】
なお、第４の実施の形態において、原稿アイコン５１１〜５１４を機能アイコン５２１〜５２５に対応付けるようにするフリック操作が行われたとき、対応付けられる機能アイコン５２１〜５２５の表示態様が変更される。これにより、ユーザは、どの機能アイコン５２１〜５２５について実行させる操作を行うことができたか、容易に知ることができる。なお、このようにして機能アイコン５２１〜５２５についての表示態様を変更してから、実際にその機能アイコン５２１〜５２５に対応する処理が実行されるまでに、所定時間の猶予期間を設けるようにし、ユーザのキャンセル操作を受け付けられるようにしてもよい。
【０１７２】
このように、第４の実施の形態においては、ユーザは、原稿アイコン５１１〜５１４についてフリック操作を行うだけで、それに対応する原稿についての処理を実行させることができる。したがって、より直感的に、すばやく、画像形成装置１に処理を実行させることができるようになる。
【０１７３】
［その他］
【０１７４】
上述の各実施の形態に記載のそれぞれの特徴が適宜組み合わされて、画像形成装置が構成されていてもよい。また、例えば第４の実施の形態において、第１の実施の形態のようなドラッグ操作時の動作は行われず、フリック操作が行われたときにのみ、初期モードでの処理が実行されるようにしてもよい。
【０１７５】
操作された原稿アイコンと対応付けられた機能アイコンについて、表示態様の変更は、ユーザにその機能アイコンを実行可能であることを示せるような態様のものであれば、どのような方法を用いてもよい。
【０１７６】
ＣＰＵは、原稿アイコンと機能アイコンとが対応付けられ、機能アイコンの表示態様が変更された後で、フリック操作が行われたときに、当該機能アイコンに対応する処理を初期モードで行うようにしてもよい。
【０１７７】
原稿アイコンと対応付けられた機能アイコンについて、表示態様の変更は行われなくてもよい。この場合、例えば短縮操作が行われた後、ドロップ操作が行われたりフリック操作が行われたりした場合に、初期モードでの動作が実行されるようにすればよい。
【０１７８】
上述の各実施の形態について、ＣＰＵは、ドラッグ操作、ドロップ操作やフリック操作が行われた原稿アイコンを、それと対応付けられた機能アイコンまで移動させるアニメーション表示を行うようにしてもよい。例えば、アニメーション表示は、機能アイコンの表示態様を変更するときに行われるようにして、原稿アイコンと機能アイコンとが対応付けられていることをユーザが容易に把握できるようにしてもよい。また、例えば、アニメーション表示は、処理が実行されるときに行われ、これから画像形成装置で行われる処理についてユーザが容易に把握できるようにしてもよい。
【０１７９】
ドラッグ操作が行われてから所定距離だけ移動した後の位置でなくても、ドラッグ操作が行われてから所定時間だけ移動した後の位置を用いて、ドラッグ操作の移動方向（操作方向）を算出するようにしてもよい。また、ドラッグ操作の方向性を判断するときの閾値となる所定距離や所定時間は、画像形成装置を操作するすべてのユーザにおいて一律に設定されていてもよいし、操作するユーザ毎に（例えば管理者と一般ユーザなどを区別して）設定されていてもよい。
【０１８０】
表示画面に表示される機能アイコンは、上述に限られない。画像形成装置１が有する機能に応じて、適当なものが表示されるようにしてもよい。
【０１８１】
また、原稿アイコンに替えて、又は原稿アイコンと共に、例えば原稿読取部を示すアイコンなど、これから画像形成装置１において生成される情報についてのアイコンが表示されるようにしてもよい。例えば、原稿読取部を示すアイコンについて、送信アイコンに対応付けるようにする短縮操作が行われることで、画像読取部にセットされた原稿が初期モードで読み込まれ、生成された情報が、初期モードで情報送信される用に構成されていてもよい。
【０１８２】
画像形成装置の表示パネルは、タッチパネルでなくてもよい。この場合であっても、ユーザは、画像形成装置に接続されたポインティングデバイスを用いて、例えば表示画面中に表示されるカーソルアイコンを移動させながらドラッグ操作等を行うことで、上記動作を実行させることができる。
【０１８３】
画像形成装置は、画像形成装置と通信可能な外部端末を用いて遠隔操作可能であってもよい。例えば、外部端末の表示パネルにおいて、画像形成装置の表示パネルと同等の表示が行われ、外部端末において、画像形成装置の表示パネルについて行われる操作と同等の操作が受け付けられるようにしてもよい。
【０１８４】
画像形成装置としては、モノクロ／カラーの複写機、プリンタ、ファクシミリ装置やこれらの複合機（ＭＦＰ）などいずれであってもよい。
【０１８５】
上述の実施の形態における処理は、ソフトウェアによって行っても、ハードウェア回路を用いて行ってもよい。
【０１８６】
上述の実施の形態における処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザに提供することにしてもよい。プログラムはインターネットなどの通信回線を介して、装置にダウンロードするようにしてもよい。上記のフローチャートで文章で説明された処理は、そのプログラムに従ってＣＰＵなどにより実行される。
【０１８７】
上記実施の形態は、すべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【符号の説明】
【０１８８】
１  画像形成装置
１１  操作部
１３  表示パネル（表示部の一例）
１５  操作位置検出部
１７  画面制御部
２０  ＣＰＵ
２３  ＲＯＭ
２５  ＲＡＭ
２７ａ  制御プログラム
３０  画像形成部
４０  原稿読取部
５０  通信部
５０１  表示画面
５１１〜５１４  原稿アイコン
５２１〜５２５  機能アイコン
５５１  （印刷機能の）詳細設定画面
５５３  送信先選択画面（詳細設定画面の一例）
５５５  記憶領域選択画面（詳細設定画面の一例）
【図１】
2013196267.tif 000003
【図２】
2013196267.tif 000004
【図３】
2013196267.tif 000005
【図４】
2013196267.tif 000006
【図５】
2013196267.tif 000007
【図６】
2013196267.tif 000008
【図７】
2013196267.tif 000009
【図８】
2013196267.tif 000010
【図９】
2013196267.tif 000011
【図１０】
2013196267.tif 000012
【図１１】
2013196267.tif 000013
【図１２】
2013196267.tif 000014
【図１３】
2013196267.tif 000015
【図１４】
2013196267.tif 000016
【図１５】
2013196267.tif 000017
【図１６】
2013196267.tif 000018
【図１７】
2013196267.tif 000019
【図１８】
2013196267.tif 000020